【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
拡張現実(AR)デバイスを着用しているユーザと対話するための方法であって、
前記ユーザが第1の状態にあることを前記ARデバイスによって検出するステップと、
前記第1の状態を検出する前記ステップに応答して前記ユーザの視野の低解像度フレームを前記ARデバイスによってキャプチャするステップと、
前記低解像度フレームから画像ターゲットを判断するステップであって、前記画像ターゲットはリンク付けされたARコンテンツを有する、ステップと、
前記画像ターゲットが利用可能であることを前記ユーザにアラートするステップと、
前記リンク付けされたARコンテンツと対話するか否かについて前記ユーザからの命令を前記ARデバイスによって受信するステップと、
前記リンク付けされたARコンテンツと対話することを前記ユーザが望むことを示す前記命令に基づき、前記ユーザの視野のフル解像度フレームを前記ARデバイスによってキャプチャするステップと、
前記リンク付けされたARコンテンツを前記ユーザに前記ARデバイスによって表示するステップと、
を含む、方法。
【請求項２】
前記ユーザが前記第1の状態にあることを前記ARデバイスによって検出する前記ステップは、前記ARデバイスを着用している前記ユーザの動作パターンを検出するステップを含む、請求項1に記載の方法。
【請求項３】
前記動作パターンは、第1の期間の動作の後に第2の期間のモーションの休止が続くことを含む、請求項2に記載の方法。
【請求項４】
前記ユーザの視野の前記低解像度フレームを前記ARデバイスによってキャプチャする前記ステップは、低フレームレートで前記視野の複数のフレームをキャプチャするステップを含む、請求項1に記載の方法。
【請求項５】
前記低解像度フレームから前記画像ターゲットを判断する前記ステップは、前記低解像度フレーム上でARターゲットマッチングアルゴリズムを実行してターゲットデータベースから前記画像ターゲットを特定するステップを含む、請求項1に記載の方法。
【請求項６】
前記ARターゲットマッチングアルゴリズムを実行する前記ステップは、前記ARデバイスと通信状態にあるリモートサーバによって行われる、請求項5に記載の方法。
【請求項７】
前記画像ターゲットが利用可能であることを前記ユーザにアラートする前記ステップは、前記画像ターゲットが利用可能であることについての情報を前記ARデバイスよって視覚的に表示するステップを含む、請求項1に記載の方法。
【請求項８】
前記画像ターゲットが利用可能であることを前記ユーザにアラートする前記ステップは、前記ユーザの視野の前記低解像度フレームを前記ARデバイスによってキャプチャする前記ステップの後、前記ユーザが前記第1の状態に留まっていることを判断するステップを含む、請求項1に記載の方法。
【請求項９】
前記リンク付けされたARコンテンツと後で対話することを前記ユーザが望むことを示す前記命令に基づき、前記画像ターゲットを保存するステップをさらに含む、請求項1に記載の方法。
【請求項１０】
前記ユーザの視野の前記フル解像度フレームを前記ARデバイスによってキャプチャする前記ステップは、前記フル解像度フレームを使用し前記画像ターゲットをトラッキングするステップを含む、請求項1に記載の方法。
【請求項１１】
前記ユーザの視野の前記フル解像度フレームを前記ARデバイスによってキャプチャする前記ステップは、前記リンク付けされたARコンテンツを拡張するステップを含む、請求項1に記載の方法。
【請求項１２】
前記ユーザの視野の前記フル解像度フレームから1つまたは複数の追加の画像ターゲットを判断するステップをさらに含み、前記1つまたは複数の追加の画像ターゲットはリンク付けされたARコンテンツを有する、請求項1に記載の方法。
【請求項１３】
前記ARデバイスは、頭部装着型ディスプレイ(HMD)を含む、請求項1に記載の方法。
【請求項１４】
前記ARデバイスは、モバイルデバイスと前記ユーザによって着用される第1のカメラとを含み、前記第1のカメラは前記ユーザの視野の前記低解像度フレームをキャプチャするために使用される、請求項1に記載の方法。
【請求項１５】
前記モバイルデバイスは第2のカメラを含み、前記第2のカメラは前記ユーザの視野の前記フル解像度フレームをキャプチャするために使用される、請求項14に記載の方法。
【請求項１６】
装置であって、
前記装置のモーションを登録するように構成されたセンサと、
カメラと、
メモリと、
前記メモリに結合された1つまたは複数のプロセッサとを含み、
前記1つまたは複数のプロセッサは、
前記センサをポーリングして前記装置の動作パターンを検出すること、
前記カメラを起動して前記動作パターンに応答して前記カメラの視野の低解像度フレームをキャプチャすること、
前記低解像度フレームから画像ターゲットを判断することであって、前記画像ターゲットがリンク付けされた拡張現実(AR)コンテンツを有する、こと、
アラートを生成して前記画像ターゲットが利用可能であることを示すこと、
前記リンク付けされたARコンテンツのための命令を受信すること、および
前記リンク付けされたARコンテンツのための前記命令に基づき、前記カメラを起動して前記カメラの視野のフル解像度フレームをキャプチャすること
を行うように構成される、装置。
【請求項１７】
表示媒体をさらに含み、前記1つまたは複数のプロセッサは、前記リンク付けされたARコンテンツを前記表示媒体に表示するようにさらに構成される、請求項16に記載の装置。
【請求項１８】
前記動作パターンは、第1の期間の動作の後に第2の期間のモーションの休止が続くことを含む、請求項16に記載の装置。
【請求項１９】
前記カメラの視野の前記低解像度フレームは、低フレームレートでの前記カメラの視野の複数のフレームを含む、請求項16に記載の装置。
【請求項２０】
前記1つまたは複数のプロセッサは、ARターゲットマッチングアルゴリズムを前記低解像度フレーム上で実行してターゲットデータベースから前記画像ターゲットを特定するようにさらに構成されることによって、前記低解像度フレームから前記画像ターゲットを判断するように構成される、請求項16に記載の装置。
【請求項２１】
前記1つまたは複数のプロセッサは、前記画像ターゲットが利用可能であることについての情報を表示媒体に表示するようにさらに構成されることによって、前記アラートを生成して前記画像ターゲットが利用可能であることを示すように構成される、請求項16に記載の装置。
【請求項２２】
前記1つまたは複数のプロセッサは、前記カメラを起動して前記カメラの視野の前記低解像度フレームをキャプチャするように構成された後、前記センサをポーリングして前記装置のモーション閾値を超えるモーションを前記センサが登録していないと判断するようにさらに構成されることによって、前記アラートを生成して前記画像ターゲットが利用可能であることを示すように構成される、請求項16に記載の装置。
【請求項２３】
前記1つまたは複数のプロセッサは、前記リンク付けされたARコンテンツを後で提供する要求を含む前記命令に基づき、前記画像ターゲットを保存するようにさらに構成される、請求項16に記載の装置。
【請求項２４】
前記1つまたは複数のプロセッサは、前記カメラの視野の前記フル解像度フレームを使用し前記画像ターゲットをトラッキングするようにさらに構成されることによって、前記カメラを起動して前記カメラの視野の前記フル解像度フレームをキャプチャするように構成される、請求項16に記載の装置。
【請求項２５】
前記1つまたは複数のプロセッサは、前記カメラの視野の前記フル解像度フレームから前記リンク付けされたARコンテンツを拡張するようにさらに構成される、請求項16に記載の装置。
【請求項２６】
前記1つまたは複数のプロセッサは、前記カメラの視野の前記フル解像度フレームから1つまたは複数の追加の画像ターゲットを判断するようにさらに構成され、前記1つまたは複数の追加の画像ターゲットはリンク付けされたARコンテンツを有する、請求項16に記載の装置。
【請求項２７】
前記装置は、頭部装着型ディスプレイ(HMD)を含む、請求項16に記載の装置。
【請求項２８】
1つまたは複数のプロセッサによって実行されると前記1つまたは複数のプロセッサに、
ユーザが第1の状態にあることを検出するステップと、
前記第1の状態を検出する前記ステップに応答して前記ユーザの視野の低解像度フレームをキャプチャするステップと、
前記低解像度フレームから画像ターゲットを判断するステップであって、前記画像ターゲットはリンク付けされた拡張現実(AR)コンテンツを有する、ステップと、
前記画像ターゲットが利用可能であることを前記ユーザにアラートするステップと、
前記リンク付けされたARコンテンツのための命令を受信するステップと、
前記リンク付けされたARコンテンツのための前記命令に基づき、前記ユーザの視野のフル解像度フレームをキャプチャするステップと、
前記リンク付けされたARコンテンツを前記ユーザに提供するステップと、
を含む、
方法を行わせるように構成された複数の機械可読命令を含む、非一時的機械可読媒体。
【請求項２９】
前記ユーザが前記第1の状態にあることを検出する前記ステップは、前記ユーザの動作パターンを検出するステップを含む、請求項28に記載の非一時的機械可読媒体。
【請求項３０】
前記動作パターンは、第1の期間の動作の後に第2の期間のモーションの休止が続くことを含む、請求項29に記載の非一時的機械可読媒体。
【請求項３１】
前記ユーザの視野の前記低解像度フレームをキャプチャする前記ステップは、低フレームレートで前記視野の複数のフレームをキャプチャするステップを含む、請求項28に記載の非一時的機械可読媒体。
【請求項３２】
前記低解像度フレームから前記画像ターゲットを判断する前記ステップは、前記低解像度フレーム上でARターゲットマッチングアルゴリズムを実行してターゲットデータベースから前記画像ターゲットを特定するステップを含む、請求項28に記載の非一時的機械可読媒体。
【請求項３３】
前記画像ターゲットが利用可能であることを前記ユーザにアラートする前記ステップは、前記画像ターゲットが利用可能であることについての情報を視覚的に表示するステップを含む、請求項28に記載の非一時的機械可読媒体。
【請求項３４】
前記画像ターゲットが利用可能であることを前記ユーザにアラートする前記ステップは、前記ユーザの視野の前記低解像度フレームをキャプチャする前記ステップの後、前記ユーザが前記第1の状態に留まっていることを判断するステップを含む、請求項28に記載の非一時的機械可読媒体。
【請求項３５】
前記方法は、前記リンク付けされたARコンテンツと後で対話することを前記ユーザが望むことを示す前記命令に基づき、前記画像ターゲットを保存するステップをさらに含む、請求項28に記載の非一時的機械可読媒体。
【請求項３６】
前記ユーザの視野の前記フル解像度フレームをキャプチャする前記ステップは、前記フル解像度フレームを使用し前記画像ターゲットをトラッキングするステップを含む、請求項28に記載の非一時的機械可読媒体。
【請求項３７】
前記方法は、前記ユーザの視野の前記フル解像度フレームを使用し前記リンク付けされたARコンテンツを拡張するステップをさらに含む、請求項28に記載の非一時的機械可読媒体。
【請求項３８】
前記方法は、前記ユーザの視野の前記フル解像度フレームから1つまたは複数の追加の画像ターゲットを判断するステップをさらに含み、前記1つまたは複数の追加の画像ターゲットはリンク付けされたARコンテンツを有する、請求項28に記載の非一時的機械可読媒体。
【請求項３９】
ユーザが第1の状態にあることを検出するための手段と、
前記第1の状態を検出することに応答して前記ユーザの視野の低解像度フレームをキャプチャするための手段と、
前記低解像度フレームから画像ターゲットを判断するための手段であって、前記画像ターゲットはリンク付けされた拡張現実(AR)コンテンツを有する、手段と、
前記画像ターゲットが利用可能であることを前記ユーザにアラートするための手段と、
前記リンク付けされたARコンテンツのための命令を受信するための手段と、
前記リンク付けされたARコンテンツのための前記命令に基づき、前記ユーザの視野のフル解像度フレームをキャプチャするための手段と、
前記リンク付けされたARコンテンツを前記ユーザに提供するための手段と
を含む、システム。
【請求項４０】
前記ユーザが前記第1の状態にあることを検出するための前記手段は、前記ユーザの動作パターンを検出するための手段を含む、請求項39に記載のシステム。
【請求項４１】
前記動作パターンは、第1の期間の動作の後に第2の期間のモーションの休止が続くことを含む、請求項40に記載のシステム。
【請求項４２】
前記ユーザの視野の前記低解像度フレームをキャプチャするための前記手段は、低フレームレートで前記視野の複数のフレームをキャプチャするための手段を含む、請求項39に記載のシステム。
【請求項４３】
前記低解像度フレームから前記画像ターゲットを判断するための前記手段は、前記低解像度フレーム上でARターゲットマッチングアルゴリズムを実行してターゲットデータベースから前記画像ターゲットを特定するための手段を含む、請求項39に記載のシステム。
【請求項４４】
前記画像ターゲットが利用可能であることを前記ユーザにアラートするための前記手段は、前記画像ターゲットが利用可能であることについての情報を視覚的に表示するための手段を含む、請求項39に記載のシステム。
【請求項４５】
前記画像ターゲットが利用可能であることを前記ユーザにアラートするための前記手段は、前記ユーザの視野の前記低解像度フレームをキャプチャした後、前記ユーザが前記第1の状態に留まっていることを判断するための手段を含む、請求項39に記載のシステム。
【請求項４６】
前記リンク付けされたARコンテンツと後で対話することを前記ユーザが望むことを示す前記命令に基づき、前記画像ターゲットを保存するための手段をさらに含む、請求項39に記載のシステム。
【請求項４７】
前記ユーザの視野の前記フル解像度フレームをキャプチャするための前記手段は、前記フル解像度フレームを使用し前記画像ターゲットをトラッキングするための手段を含む、請求項39に記載のシステム。
【請求項４８】
前記ユーザの視野の前記フル解像度フレームを使用し前記リンク付けされたARコンテンツを拡張するための手段をさらに含む、請求項39に記載のシステム。
【請求項４９】
前記ユーザの視野の前記フル解像度フレームから1つまたは複数の追加の画像ターゲットを判断するための手段をさらに含み、前記1つまたは複数の追加の画像ターゲットはリンク付けされたARコンテンツを有する、請求項39に記載のシステム。